(57)【特許請求の範囲】
【請求項１】
物品の保管用及び／又は運搬用バッグ（２０）であって、
該バッグは、容器（７）を含み、少なくとも１個の物品の保管用カバー（１）を備え、
前記保管用カバー（１）は、前記容器（７）内に収納するのに適しており、垂直に延在し、その上端部に少なくとも１個の物品を挿入するための開口部（１９）を備えた第１の包み（２）と、前記第１の包み（２）の少なくとも下部が収められる平行六面体ベースを形成するように折畳み手段（６ａ、６ｂ）を備えた板（６）とを備え、
前記保管用カバー（１）は、前記第１の包み（２）の下端部より下側で水平に組み込まれた第２の包み（３）を更に備え、前記第２の包み（３）は、前記板（６）より僅かに大きい寸法を有し、前記板（６）を前記第２の包み（３）内に導入するための少なくとも１個の開口部を備え、
前記容器（７）が周囲垂直壁を備え、前記周囲垂直壁の内面に、前記容器（７）内で前記保管用カバー（１）を安定化させるための、前記保管用カバー（１）の平行六面体ベースを受容する受容手段（１５）が備えられていることを特徴とするバッグ（２０）。
【請求項２】
前記第１の包み（２）は、その上端部に、前記保管用カバー（１）を密封するための、上記開口部（１９）のジッパー式の閉鎖手段（１８）を備えることを特徴とする請求項１に記載のバッグ（２０）。
【請求項３】
前記第１の包み（２）は、その壁の１つに、第１の包み（２）内の空気を抜くための、弁式の空気抜き手段（１７）を備えることを特徴とする請求項１又は２に記載のバッグ（２０）。
【請求項４】
前記第１の包み（２）の前記下部と、前記第２の包み（３）と、前記板（６）とが平面矩形状であり、前記板（６）の幅が前記第１の包み（２）の前記下部の幅及び前記第２の包み（３）の幅より短く、前記板（６）の長さも前記第１の包み（２）の前記下部の長さ及び第２の包み（３）の長さより短いことを特徴とする請求項１〜３のいずれか１項に記載のバッグ（２０）。
【請求項５】
前記第２の包み（３）は、前記板（６）を挿入するための開口部（４、５）をそれぞれに設けた、２つの横端部を備えることを特徴とする請求項４に記載のバッグ（２０）。
【請求項６】
前記板（６）は、前記平行六面体ベースを形成する１つの中央部と２つの折畳み側部とに前記板（６）を分ける、横断方向に延びる２本の折り目（６ａ、６ｂ）を備え、
前記周囲垂直壁は、少なくとも２つの横側面（９、１０、１１、１２）を備え、前記受容手段（１５）は、前記少なくとも２つの横側面（９、１０、１１、１２）の上側の角のある端部に位置するフラップによって構成され、前記フラップは、前記平行六面体ベースの形成時に、前記板（６）の折畳み可能な前記側部の角のある端部の受容を可能にすることを特徴とする請求項１〜５のいずれか１項に記載のバッグ（２０）。
【請求項７】
前記２つの折畳み側部は、長さが同一であり、前記平行六面体ベースの体積が一旦空気の抜かれた前記第１の包み（２）の体積に相当する寸法になっていることを特徴とする請求項６に記載のバッグ（２０）。
【請求項８】
前記板（６）は、前記平行六面体ベースを形成する１つの中央部と２つの折畳み側部とに前記板（６）を分ける、横断方向に延びる２本の折り目（６ａ、６ｂ）を備えることを特徴とする請求項４又は５に記載のバッグ（２０）。
【請求項９】
前記板（６）は、前記平行六面体ベースを形成する１つの中央部と２つの折畳み側部とに前記板（６）を分ける、横断方向に延びる２本の折り目（６ａ、６ｂ）を備え、
前記２つの折畳み側部は、長さが同一であり、前記平行六面体ベースの体積が一旦空気の抜かれた前記第１の包み（２）の体積に相当する寸法になっていることを特徴とする請求項３に記載のバッグ（２０）。
【請求項１０】
前記保管用カバー（１）の前記第１の包み（２）が、その壁の１つに、第１の包み（２）内の空気を抜くための、弁式の空気抜き手段（１７）を備える請求項１〜９のいずれか１項に記載のバッグ（２０）と、前記保管用カバー（１）内の空気を抜くポンプ装置とを備えるキット。
【発明の詳細な説明】
【技術分野】
【０００１】
本発明は保管装置の分野に関し、特に、少なくとも１個の物品のスーツケース内での保管用に適応され、最終的には運搬用に適応された、保管装置の分野に関する。
【背景技術】
【０００２】
不動産にかかる費用や居住面積の平米あたりにかかる価格が増加していることから、容量及び保管手段に関する新たな問題が生じている。
【０００３】
例えば、多数の家具保管会社が次々に立ち上げられており、ほとんどの場合、保管する容積に比例した高額な値段が設定されている。
【０００４】
同様に、様々な運搬手段、仕事の柔軟性、直前になってインターネットで購入される週末の宿泊手配が発達しており、これは手荷物の分野で需要が成長しつつあることを意味している。
【０００５】
それにもかかわらず、航空会社は、各手荷物品の容量に料金を課することが多く、一方で車両のトランクは、複数個の手荷物品を納めるには小さくなってきている。
【０００６】
より一般的には従来の手荷物は、より広くは保管手段は、容量の大きい物品の保管を望む人々や旅行者の要求を必ずしも満足しておらず、また運搬される体積についての要求も満たされていないことは明らかである。
【０００７】
保管と運搬に関するこの問題は、卸売販売と貨物輸送の分野においても当てはまる。容量と費用の観点から、物品又は商品を小型化して運搬する必要がある。
【０００８】
カバー内に真空を生じることで物品を圧縮させる、真空運搬用カバーが周知である。
【０００９】
この種のカバーと一体化して、物品を保護及び運搬するか、或いは一時的に保管するスーツケースもある。
【００１０】
この種のカバーは、特に、季節性の織物製品に適用されている。
【００１１】
特に米国特許出願第２００５／０１７３４３９号において、現代のカバーは、織物製品を入れる包みを備えている。
【００１２】
この包みは、内部に含まれる空気を抜いて内部の物品を圧縮する弁を主に備えている。
【００１３】
また公知技術において、上記の包みはその下端にて、垂直の包みに対して鉛直な平面内に実質的に延在するプラスチックシートを備えている。プラスチックシートは、それに対応する寸法の板に、特には任意選択で布により覆われていてもよい厚紙製の板に、取り付けられている。板は、特に縫合によって、シートに取り付けられている。
【００１４】
この厚紙製の板は、長手方向に延在し、その端部に折り目を備え、物品の圧縮中に底部が平行六面体の形をとる。
【００１５】
従って圧縮された物品は、平行六面体の形状となる。
【００１６】
しかし、平行六面体形成中の動きが、プラスチックシートと柔軟な板とで異なるため、プラスチックシートが板との取り付け位置で引き裂かれうるという欠点がある。
【００１７】
柔軟な板がカバーの底部に直接配置されているカバーもあり、特に米国特許出願第２００６／０１２０６３１号に記載されるカバーが挙げられる。
【００１８】
この種のカバーには幾つか不利な点がある。
【００１９】
特に、カバーに物品を詰めて真空パックした後に、板が不適切な位置にあった場合、カバーを開けて減圧し、物品を取り出し、板を適切に再配置する必要がある。
【先行技術文献】
【特許文献】
【００２０】
【特許文献１】米国特許出願第２００５／０１７３４３９号明細書
【特許文献２】米国特許出願第２００６／０１２０６３１号明細書
【発明の概要】
【発明が解決しようとする課題】
【００２１】
本発明の目的と概要
本発明の目的は、上述した不利な点の改良を試み、また保管用カバーの製造コストを低減することにある。
【課題を解決するための手段】
【００２２】
この趣旨で本発明は、少なくとも１個の物品の保管用カバーを提供する。この物品は、例えば織物製品であってもよい。
【００２３】
一方、本発明の保管用カバーは、上方に延在し、その上端部に物品挿入用の開口部を備えた第１の包みを備える。
【００２４】
一方、本発明の保管用カバーは、第１の包みの少なくとも下部が収められる平行六面体ベースを形成するように折畳み手段を設けた板を備える。
【００２５】
この保管用カバーは、第１の包みの下端部より下側で水平に組み込まれた第２の包みを更に備える。
【００２６】
第２の包みは、板より僅かに大きい寸法を有し、板を第２の包み内に導入するための少なくとも１個の開口部を備えることは明白である。
【００２７】
従って第２の包みのこの構成により、板がカバーのその他の部分に固定されない、又は組み込まれない。
【００２８】
より具体的には、第２の包みと板との配置によって、構成要素をそれぞれ独立に動作させることが可能となり、従って板及び／又は第２の包みが引き裂かれることが回避されることは明白である。
【００２９】
有利なことに、第１の包みは、その上端部に、開口部の閉鎖手段、例えばジッパー式のものを備える。これら閉鎖手段によって、カバーの密封が可能になる。
【００３０】
本発明の好適な実施形態において、第１の包みは、その壁の１つに、空気抜き手段、例えば弁を備える。これらの空気抜き手段によって、第１の包み内の空気を抜くことが可能になる。
【００３１】
従って、第１の包み内に含まれる物品を圧縮する目的で、密封手段と空気抜き手段とが協働することは明白である。
【００３２】
従って、これらの手段により、容量を制限しつつ、第１の包み内に物品を保管するのが容易となる。
【００３３】
本発明の特定の実施形態において、第２の包みと、第１の包みの下部と、板とが、矩形をなす。
【００３４】
より具体的には、板の幅が、第２の包みの幅より短く、第１の包みの下部の幅より短い。板の長さが、第２の包みの長さより短く、第１の包みの下部の幅より短い。
【００３５】
板は、平行六面体ベースを形成する１つの中央部と２つの折畳み側部とにこの板を分ける、横断方向に延びる２本の折り目を備えてもよく、中央部は、圧縮状態すなわち空気抜きを行ったときの第１の包みの長さより僅かに長い。
【００３６】
本発明の実施形態の変更例において、第２の包みは、板を挿入するための開口部をそれぞれに設けた、２つの横端部を備える。
【００３７】
上で説明した特定の実施形態の変更例において、前記２つの折畳み側部は、長さが同一であり、平行六面体ベースの体積が一旦空気の抜かれた第１の包みの体積に相当するような寸法になっている。
【００３８】
上記に相関して、本発明の更なる目的は、物品の保管用及び／又は運搬用バッグを提供することにある。
【００３９】
より具体的には、この保管用バッグは、外側カバーに相当する容器、特にスーツケースの形状のものと、上で説明した実施形態の１つによる保管用カバーとによって構成される。この保管用カバーは、上記した容器内に収納するのに好適である。
【００４０】
本発明の変形例において、容器は、周囲垂直壁を備える。この壁の内面に、容器内でカバーを安定化させるための、平行六面体ベースを受容する受容手段が備えられている。
【００４１】
実施形態の特定の変形例において、周囲垂直壁は、少なくとも２つの横側面を備え、受容手段は、これら２つの横側面の上側の角のある端部に位置するフラップ（rebat）によって構成される。
【００４２】
これらのフラップは従って、平行六面体ベースの形成時に、板の折畳み側部の角のある端部を受容する。
【００４３】
最後に、本発明の対象は、保管用カバーを備えるバッグと、カバー内の空気を抜くことが可能なポンプ装置とによって構成されるキットに関する。このポンプ装置は、好ましくは旅行用ポンプ又は小型送風機であり、例えば保管用カバーの圧縮時に容器内に収めることのできるものである。
【００４４】
本発明のその他の特徴及び利点は、付属の図面を参照にした以下の説明により明らかになるであろう。なお図面は、発明を限定することのない例示的実施形態を例示するものである。
【図面の簡単な説明】
【００４５】
【図１】本発明の特定の実施形態におけるカバーの側面図を概略的に例示する。
【図２】本発明の特定の実施形態におけるカバーの斜視図を概略的に例示する。
【図３】本発明の特定の実施形態におけるカバー及びスーツケースを概略的に例示する。
【図４】本発明の特定の実施形態におけるカバー及びスーツケースを概略的に例示する。
【図５】本発明の特定の実施形態におけるスーツケースの内部図を概略的に例示する。
【図６】本発明の特定の実施形態におけるスーツケースを取り囲むベルトシステムを例示する。
【図７】本発明の特定の実施形態におけるスーツケースを取り囲むベルトシステムを例示する。
【発明を実施するための形態】
【００４６】
実施形態の詳細な説明
本発明によるカバー１及びスーツケース７を、図１〜５を参照しつつ特定の実施形態で説明する。
【００４７】
図１及び図２のカバー１は、実質的に垂直に延在する第１の包み２と、第１の包み２の下端に対して実質的に鉛直に配置される第２の包み３とで構成される。
【００４８】
ここで説明する実施形態では、第１の包み２は、この包み２に含まれる空気を抜いてカバーを圧縮するための弁１７を備える。なおこの弁は、どのような種類のポンプや送風機と協働させてもよい。
【００４９】
第１の包みは更に、第１の包み２の密封を可能にするジッパーシステム１８を備える。
【００５０】
図３及び図４のスーツケース７は、圧縮状態のカバー１の寸法より実質的に大きい寸法を有する平行六面体の形状をしている。通常、このスーツケース７は、底部８と、４個の側壁９〜１２と、上部１３とを備え、上部１３には、その周縁と側壁９〜１２の上端との間に配置される開放システム１４を備えている。
【００５１】
圧縮可能な物品の運搬という範囲内では、カバー１及びスーツケース７は高度に有利である。
【００５２】
羽毛布団（非常に容量のある織物製品）の運搬を望み、本発明によるキットを持っている者がいる場合を例にする。このキットには、保管用カバー１と、スーツケース７と、旅行用ポンプとが備えられている。
【００５３】
周知の方法によって、羽毛布団を折り畳んで、第１の包み２の上端に位置する開口部１９からカバー１内に滑り込ませる。
【００５４】
カバー１内の羽毛布団を密封して取り巻く環境から隔離するように、ジッパーシステム１８を閉位置へ滑らせる。
【００５５】
次に、弁１７と、キットに備わっているポンプ（図示せず）とを利用して、第１の包み２の内部に準真空状態を作り出す。
【００５６】
弁１７とジッパーシステム１８との協働によって、ポンプが空気を抜くことで、羽毛布団が圧縮され、布団の体積が減少して最小容量となる。
【００５７】
特にその端部において、特定の強度を有する保管用カバー１を得ることが、本発明の目的の１つである。
【００５８】
そのため、第２の包み３は、２個の開口部４及び５を備えており、柔軟な板及び多少硬目の板６を、開口部内に導入することが可能になっている。この板６の設計には、硬質又は半硬質プラスチック製の板等の他の材料を用いることももちろん可能である。
【００５９】
図２及び図３から、板６には折畳み手段６ａ、６ｂが備えられていることが分かる。
【００６０】
従って、第１の包み２内の羽毛布団を圧縮する際に、カバー１は変形する。板６と第２の包み３とによって、互いに独立した手段６ａ、６ｂに応じた変形と折り畳みが可能となり、スーツケース７の寸法より実質的に小さい寸法の平行六面体を形成する。
【００６１】
なお、板６を第２の包み３へ固定しない又は組み込まない本発明の特定の構成によって、カバー１の端部を頑丈なものとしつつ、従来技術のように端部が取り付け位置で引き裂かれることがない。
【００６２】
また、羽毛布団を第１の包み２に一旦挿入し、この第１の包み２を圧縮し始めた後でも、都合のよいことに、折り畳んで平行六面体ベースを形成する前に、板６を再配置することが可能である。
【００６３】
従って、カバー１が図３及び図４に例示されるような平行六面体の形状となれば、ユーザは、このカバー１をスーツケース７に配置することができる。
【００６４】
図５に例示するように、カバーの引き裂きを常に避け且つスーツケース７内での位置を確実に保持するように、このスーツケース７は、板６の角のある端部を受容する受容手段１５を備えることを特徴とし、カバー１とその内容物をスーツケース７内で密封し安定化する。この受容手段１５は、垂直壁９〜１２の側面に位置している。
【００６５】
カバー１をスーツケース７内に詰め込むと、スーツケース７の上部１３を下ろし、システム１４を用いて閉じることが可能になる。
【００６６】
運搬中に又は取り扱いミスによってスーツケースが偶然開口しないように、スーツケースを取り囲み、図６に示すようなクリップ閉鎖システム又は図７に示すようなマジックテープ（Velcro：登録商標）によって固定される、ベルトシステム１６を用いることも好ましい。
【００６７】
ここで説明する実施形態において、カバー及びスーツケースは、容量のある織物商品の保管及び／又は運搬について様々な制約に対して特に適合される。しかし明示的に説明した例示的実施形態は、本発明の目的を限定するものと見なされるべきではないことは理解されよう。
【図１】
0005435510.tif 000002
【図２】
0005435510.tif 000003
【図３】
0005435510.tif 000004
【図４】
0005435510.tif 000005
【図５】
0005435510.tif 000006
【図６】
0005435510.tif 000007
【図７】
0005435510.tif 000008